(57)【要約】【課題】画像を表示する表示画面のうちユーザが目視可能な目視領域が変形可能な端末装置の利便性を向上させる。【解決手段】端末装置１は、画像を表示する表示画面２１のうちユーザが目視可能な目視領域２１Ｖが変形可能な画像表示部２と、目視領域２１Ｖのサイズに関する目視領域情報を取得する取得部と、取得部によって取得された目視領域情報に基づいて、本装置の動作（例えば、画像表示に関する動作や電源に関する動作など）に係る処理を行う処理部とを備える。【選択図】図６
2018084790.tif 000002
【特許請求の範囲】
【請求項１】
画像を表示する表示画面のうちユーザが目視可能な目視領域が変形可能な表示部と、
前記目視領域のサイズに関する目視領域情報を取得する取得部と、
前記取得部によって取得された前記目視領域情報に基づいて、本装置の動作に係る処理を行う処理部と、
を備える端末装置。
【請求項２】
前記処理部は、前記取得部によって取得された前記目視領域情報に基づいて、前記表示画面に表示する画像の表示処理を行う請求項１に記載の端末装置。
【請求項３】
前記処理部は、予め定められたサイズの一の画像を表示する際に、当該一の画像の全体が前記目視領域において最も大きく表示されるように当該一の画像を当該目視領域に表示させる請求項２に記載の端末装置。
【請求項４】
前記処理部は、前記表示部の向きに関わらず、前記目視領域の縦横の長さに応じて前記一の画像を回転させて当該目視領域に表示させる請求項３に記載の端末装置。
【請求項５】
前記処理部は、前記取得部によって取得された前記目視領域情報に基づいて、前記本装置の電源に関する制御を行う請求項１に記載の端末装置。
【請求項６】
前記処理部は、前記目視領域情報に応じて前記本装置の電源を入れる又は電源を切る処理を行い、
電源を入れるときと電源を切るときとで、前記目視領域のサイズが異なる請求項５に記載の端末装置。
【請求項７】
前記処理部は、前記目視領域情報に応じて前記表示画面に画像を表示または非表示にする処理を行い、
前記表示画面に画像を表示するときと当該表示画面に画像を非表示にするときとで、前記目視領域のサイズが異なる請求項６に記載の端末装置。
【請求項８】
前記処理部は、前記目視領域情報に応じて、種類が異なる基本ソフトウェアに対応する画像の表示処理を行う請求項２に記載の端末装置。
【請求項９】
前記処理部は、種類が異なる基本ソフトウェアを動作させるとともに、前記本装置に対する一の操作を、当該種類が異なる基本ソフトウェアにおける各々の動作に反映させる請求項１に記載の端末装置。
【請求項１０】
前記処理部は、前記取得部によって取得された前記目視領域情報に基づいて、前記本装置のハードウェアの動作態様を設定する請求項１に記載の端末装置。
【請求項１１】
時刻に関する時間情報を取得する計時部をさらに備え、
前記処理部は、前記時間情報に基づいて、前記本装置の動作に係る処理を行う請求項１に記載の端末装置。
【請求項１２】
画像を表示する表示画面のうちユーザが目視可能な目視領域が変形可能な表示部を備える端末装置として機能するコンピュータに、
前記目視領域のサイズに関する目視領域情報を取得する機能と、
取得された前記目視領域情報に基づいて、前記端末装置の動作に係る処理を行う機能と、
を実現させるためのプログラム。
【発明の詳細な説明】
【技術分野】
【０００１】
本発明は、端末装置およびプログラムに関する。
【背景技術】
【０００２】
例えば特許文献１には、端末装置ボディーの一端で端末装置を前面または背面にベンディングするフォールディング部と、端末装置ボディーの上位に実装されて、フォールディング部のベンディング方向によって前面または背面にベンディングするフレキシブルディスプレイ及びフォールディング部ベンディング時、フォールディング部とフレキシブルディスプレイの延伸率の差によって発生する圧縮／引張程度の差によってフレキシブルディスプレイの一端をスライディングさせるスライディング部を含むフレキシブル携帯端末装置が開示されている。
【先行技術文献】
【特許文献】
【０００３】
【特許文献１】特開２０１４−１６１００９号公報
【発明の概要】
【発明が解決しようとする課題】
【０００４】
ここで、端末装置において、画像を表示する表示画面のうちユーザが目視可能な目視領域が変形可能な表示部を設ける構成を採用する場合がある。この場合に、目視領域のサイズの変化に関わらず端末装置を単に動作させると、端末装置の利便性が低下するおそれがあった。
【０００５】
本発明は、画像を表示する表示画面のうちユーザが目視可能な目視領域が変形可能な端末装置の利便性を向上させることを目的とする。
【課題を解決するための手段】
【０００６】
請求項１に記載の発明は、画像を表示する表示画面のうちユーザが目視可能な目視領域が変形可能な表示部と、前記目視領域のサイズに関する目視領域情報を取得する取得部と、前記取得部によって取得された前記目視領域情報に基づいて、本装置の動作に係る処理を行う処理部と、を備える端末装置である。
請求項２に記載の発明は、前記処理部は、前記取得部によって取得された前記目視領域情報に基づいて、前記表示画面に表示する画像の表示処理を行う請求項１に記載の端末装置である。
請求項３に記載の発明は、前記処理部は、予め定められたサイズの一の画像を表示する際に、当該一の画像の全体が前記目視領域において最も大きく表示されるように当該一の画像を当該目視領域に表示させる請求項２に記載の端末装置である。
請求項４に記載の発明は、前記処理部は、前記表示部の向きに関わらず、前記目視領域の縦横の長さに応じて前記一の画像を回転させて当該目視領域に表示させる請求項３に記載の端末装置である。
請求項５に記載の発明は、前記処理部は、前記取得部によって取得された前記目視領域情報に基づいて、前記本装置の電源に関する制御を行う請求項１に記載の端末装置である。
請求項６に記載の発明は、前記処理部は、前記目視領域情報に応じて前記本装置の電源を入れる又は電源を切る処理を行い、電源を入れるときと電源を切るときとで、前記目視領域のサイズが異なる請求項５に記載の端末装置である。
請求項７に記載の発明は、前記処理部は、前記目視領域情報に応じて前記表示画面に画像を表示または非表示にする処理を行い、前記表示画面に画像を表示するときと当該表示画面に画像を非表示にするときとで、前記目視領域のサイズが異なる請求項６に記載の端末装置である。
請求項８に記載の発明は、前記処理部は、前記目視領域情報に応じて、種類が異なる基本ソフトウェアに対応する画像の表示処理を行う請求項２に記載の端末装置である。
請求項９に記載の発明は、前記処理部は、種類が異なる基本ソフトウェアを動作させるとともに、前記本装置に対する一の操作を、当該種類が異なる基本ソフトウェアにおける各々の動作に反映させる請求項１に記載の端末装置である。
請求項１０に記載の発明は、前記処理部は、前記取得部によって取得された前記目視領域情報に基づいて、前記本装置のハードウェアの動作態様を設定する請求項１に記載の端末装置である。
請求項１１に記載の発明は、時刻に関する時間情報を取得する計時部をさらに備え、前記処理部は、前記時間情報に基づいて、前記本装置の動作に係る処理を行う請求項１に記載の端末装置である。
請求項１２に記載の発明は、画像を表示する表示画面のうちユーザが目視可能な目視領域が変形可能な表示部を備える端末装置として機能するコンピュータに、前記目視領域のサイズに関する目視領域情報を取得する機能と、取得された前記目視領域情報に基づいて、前記端末装置の動作に係る処理を行う機能と、を実現させるためのプログラムである。
【発明の効果】
【０００７】
請求項１の発明によれば、画像を表示する表示画面のうちユーザが目視可能な目視領域が変形可能な端末装置の利便性を向上させることができる。
請求項２の発明によれば、目視領域情報に基づいて画像の表示処理を行わない場合と比較して、表示画面に表示される画像が見やすくなる。
請求項３の発明によれば、目視領域のサイズに応じて最も見やすい表示態様で画像を表示させることが可能になる。
請求項４の発明によれば、表示部の表示画面に表示される画像の向きよりも目視領域における画像の大きさを優先させた画像をユーザに見せることができる。
請求項５の発明によれば、本装置による消費電力を抑制することが可能になる。
請求項６の発明によれば、目視領域のサイズに対応させて電源の入り切りの設定を行うことができる。
請求項７の発明によれば、目視領域のサイズに対応させて表示画面における画像の表示および非表示を設定することができる。
請求項８の発明によれば、目視領域のサイズに対応させて種類が異なる基本ソフトウェアに対応する画像の表示処理を行うことができる。
請求項９の発明によれば、種類が異なる基本ソフトウェアの各々を動作させるために、ユーザが基本ソフトウェアの数だけ本装置に対する操作を行う必要がなくなる。
請求項１０の発明によれば、目視領域のサイズに対応させて本装置のハードウェアの動作態様を設定することができる。
請求項１１の発明によれば、処理部が目視領域情報のみに基づいて本装置の動作に係る処理を行う場合と比較して、端末装置の利便性をさらに向上させることができる。
請求項１２の発明によれば、画像を表示する表示画面のうちユーザが目視可能な目視領域が変形可能な端末装置の利便性を向上させることができる。
【図面の簡単な説明】
【０００８】
【図１】本実施形態の端末装置の全体図である。
【図２】本実施形態の端末装置のハードウェア構成例を示した図である。
【図３】本実施形態の制御部の機能の説明図である。
【図４】本実施形態の条件描画処理の動作フロー図である。
【図５】（Ａ）〜（Ｅ）は、併用状態における画像表示の一例の図である。
【図６】（Ａ）〜（Ｆ）は、全体最大表示優先状態における画像表示の一例の図である。
【図７】（Ａ）および（Ｂ）は、表示画面におけるスクロール操作の一例の説明図である。
【図８】本実施形態の電源／表示制御処理のフロー図である。
【図９】（Ａ）〜（Ｆ）は、本実施形態の電源／表示制御処理の動作説明図である。
【図１０】（Ａ）および（Ｂ）は、変形例の端末装置の説明図である。
【図１１】（Ａ）および（Ｂ）は、ＯＳの設定に係る処理を示した図である。
【図１２】（Ａ）〜（Ｄ）は、複数のＯＳを併用する処理を示した図である。
【図１３】（Ａ）〜（Ｄ）は、複数のページを表示画面にまとめて表示する処理を示した図である。
【図１４】（Ａ）および（Ｂ）は、端末装置に対する操作を複数のＯＳの動作に反映させる処理を示した図である。
【発明を実施するための形態】
【０００９】
＜第１の実施形態＞
以下、添付図面を参照して、本発明を実施するための形態について説明する。
図１は、本実施形態の端末装置１の全体図である。
図１に示すように、本実施形態の端末装置１は、画像を表示する画像表示部２（表示部の一例）と、画像表示部２を巻き尺のように収納する本体部３とを有する。なお、端末装置１は、例えばスマートフォンやタブレット型ＰＣなどのいわゆるパーソナル端末機器である。
【００１０】
ここで、本実施形態の端末装置１は、本体部３に対する画像表示部２の収容状態によって全体のサイズが変化する。従って、本実施形態において、端末装置１の方向を説明する際には、本体部３を基準に説明する。また、本実施形態では、本体部３の長手方向を端末装置１の縦方向Ｖと称し、本体部３の短手方向を端末装置１の横方向Ｈと称して説明する。
【００１１】
画像表示部２は、画像を表示する表示画面２１と、表示画面２１の端部に設けられるタブ部２２とを有する。
表示画面２１は、フレキシブルディスプレイ素材によって構成されており、折り曲げ変形する。そして、本実施形態の表示画面２１は、横方向Ｈにおいて、本体部３に対して引き出されたり本体部３に巻き取られたりする。本実施形態において、表示画面２１の収容部３１から引き出された領域（後述の目視領域２１Ｖ）は、平面状になる。表示画面２１の本体部３に巻き取られた領域（後述の非目視領域２１Ｉ）は、丸められた状態になる。
また、表示画面２１は、タッチパネルとして機能するようになっており、表示画面２１に対するユーザの指等の接触操作（タッチ操作）を検知する。なお、本実施形態の表示画面２１には、例えば有機ＥＬディスプレイを用いて良い。
タブ部２２は、ユーザが表示画面２１を引き出したり、巻き取ったりする際につまむ部分を形成する。
【００１２】
そして、表示画面２１は、収容部３１に全て収容された状態と、収容部３１に対して表示画面２１が全て引き出された状態とを形成する。本実施形態において、表示画面２１がすべて収容された状態を、表示画面２１の「全閉状態」と称す。一方、表示画面２１が全て引き出された状態を、表示画面２１の「全開状態」と称す。
さらに、表示画面２１は、全閉状態と全開状態との間で留まる。すなわち、表示画面２１は、全閉状態と全開状態との間における任意の位置で、収容部３１から引き出された状態を維持する。
【００１３】
ここで、表示画面２１のうち収容部３１に収容された部分については、ユーザが視認することができない。一方で、収容部３１から引き出された部分については、ユーザが視認することができる。本実施形態において、表示画面２１のうちユーザが視認することができる画面領域は、目視領域２１Ｖと称する。また、表示画面２１のうちユーザが視認することができない画面領域（目視領域２１Ｖ以外の画面領域）は、非目視領域２１Ｉと称する。
【００１４】
そして、目視領域２１Ｖは、表示画面２１が全開状態である場合に、最も画面サイズが大きくなる１００％となる。また、目視領域２１Ｖは、表示画面２１が全閉状態である場合に、最も画面サイズが小さくなる０％となる。さらに、目視領域２１Ｖは、０％から１００％までの間の画面サイズを形成する。
このように、本実施形態の端末装置１は、目視可能な目視領域２１Ｖが機械的に変化するように構成され、目視領域２１Ｖが変形可能になっている。
【００１５】
本実施形態の表示画面２１は、全開状態にて、縦方向Ｖに対して横方向Ｈが長くなっている。また、全開状態の表示画面２１（目視領域２１Ｖが１００％）は、Ａ４横サイズに対応している。
【００１６】
本体部３は、表示画面２１の収容部３１と、端末装置１全体を制御する制御部３２と、ユーザの操作を受け付ける本体操作部３３と、端末装置１の向きを検出する方向検知部３４と、を有する。
【００１７】
収容部３１は、表示画面２１を巻き取って収容する。また、収容部３１は、表示画面２１が引き出される際には、表示画面２１を繰り出す。さらに、収容部３１は、表示画面２１の全開状態と全閉状態との間に表示画面２１を留める。
さらに、収容部３１は、ユーザによる表示画面２１の引き出し操作の際に、目視領域２１Ｖの画面サイズを検知する。本実施形態において、収容部３１による目視領域２１Ｖの画面サイズの推定は、例えば表示画面２１を巻き取る巻き取り軸の回転量や、表示画面２１に設けた識別マークを読み取るなど各種の方法を用いている。
【００１８】
制御部３２は、端末装置１を統括的に制御する。制御部３２は、本体部３および表示画面２１の電源制御、表示画面２１に表示する画像の表示制御、ネットワーク等を介した通信制御などの各種制御を行う。
【００１９】
本体操作部３３は、電源ボタン３３１および機能ボタン３３２を有している。また、電源ボタン３３１および機能ボタン３３２は、機械的なボタンによって構成されている。
電源ボタン３３１は、端末装置１全体の電源を入れたり切ったりするためのボタンである。機能ボタン３３２は、表示画面２１にホーム画面画像を表示させたり、直前に表示していた表示内容に戻したりするボタンである。
【００２０】
方向検知部３４は、端末装置１の縦方向Ｖがいずれの方向に向いているかを検知する。なお、方向検知部３４には、例えば加速度センサやジャイロセンサを用いても良い。
例えば、ユーザが端末装置１の縦方向Ｖが鉛直方向に沿うように端末装置１を保持している場合、方向検知部３４は、端末装置１が鉛直方向を向いていることを検知する。この場合に、方向検知部３４は、端末装置１の縦方向Ｖにおけるいずれ側の端部が鉛直方向上側を向いているかも検知する。
また、ユーザが端末装置１の縦方向Ｖが水平方向に沿うように端末装置１を保持している場合、方向検知部３４は、端末装置１が水平方向を向いていることを検知する。
【００２１】
次に、端末装置１のハードウェア構成について説明する。
図２は、本実施形態の端末装置１のハードウェア構成例を示した図である。
図２に示すように、端末装置１は、演算手段であるＣＰＵ１０１と、記憶手段であるメインメモリ１０２と、フラッシュメモリ１０３とを備える。また、端末装置１は、外部との通信を行うための通信Ｉ／Ｆ１０４と、被写体等を撮像するカメラ１０５と、音を取得するマイク１０６とを備える。
ＣＰＵ１０１は、ＯＳ（Operating System）やアプリケーションソフトウェア等の各種プログラムを実行し、端末装置１の各機能を実現する。また、メインメモリ１０２は、各種プログラムやその実行に用いるデータ等を記憶する記憶領域である。フラッシュメモリ１０３は、各種プログラムに対する入力データや各種プログラムからの出力データ等を記憶する記憶領域である。
【００２２】
図３は、本実施形態の制御部３２の機能の説明図である。
図３に示すように、制御部３２（処理部の一例）は、表示画面２１に表示する表示情報を取得する表示情報取得部４１と、表示画面２１に関する情報を取得する画面情報取得部４２（取得部の一例）と、ユーザの操作を受け付ける操作受付部４３と、表示画面２１に画像を描画する描画部４４と、端末装置１における電源を制御する電源制御部４５と、を備える。
【００２３】
表示情報取得部４１は、表示画面２１に表示する表示情報を、フラッシュメモリ１０３等から取得する。表示情報には、表示画面に表示する表示画像の描画データや、表示画像の画像サイズおよび表示画像の縦横の情報である画像情報が含まれる。そして、表示情報取得部４１は、表示情報を描画部４４に送る。
【００２４】
画面情報取得部４２は、端末装置１（画像表示部２）の向きの情報である方向情報、および目視領域２１Ｖの画面サイズに関する情報である画面サイズ情報を、収容部３１および方向検知部３４から取得する。そして、画面情報取得部４２は、方向情報および画面サイズ情報を描画部４４に送る。
なお、以下の説明において、方向情報と画面サイズ情報とを合わせて画面情報（目視領域情報の一例）と呼ぶ場合がある。
【００２５】
操作受付部４３は、本体操作部３３おけるユーザの押下操作や、表示画面２１におけるユーザのタッチ操作を受け付ける。そして、操作受付部４３は、ユーザの操作に応じて、各構成部に対して指示を行う。
【００２６】
また、本実施形態では、操作受付部４３は、ユーザの操作を受け付けるための操作アイコン５０（図１参照）を表示画面２１に表示させる指示を描画部４４に対して行う。
図１に示すように、本実施形態の操作アイコン５０は、方向対応モードのモード設定を受け付ける方向対応モード選択表示５１と、全体最大表示モードのモード設定を受け付ける全体最大表示モード選択表示５２とを有している。また、操作アイコン５０は、例えばアプリケーションのショートカットであるアプリアイコン５３と、インターネットブラウザの起動ボタンであるブラウザアイコン５４と、カメラ１０５を起動させるカメラアイコン５５と、本体の各種設定を行うための設定画面起動アイコン５６とを有している。
【００２７】
描画部４４は、表示情報取得部４１から取得した表示情報に基づいて、表示画面２１に画像を表示させる。
そして、描画部４４は、表示画面２１に対するユーザのタッチパネル操作や設定画面にてユーザから受け付けた操作に応じて、表示画像の拡大縮小表示、回転表示、スクロール表示を行う。
また、描画部４４は、画像情報および画面情報に基づいて、ユーザ自身による操作とは別に、端末装置１にて自動的に行う条件描画処理を実行する。
これら、条件描画処理については、後に詳しく説明する。
【００２８】
電源制御部４５は、表示画面２１に対して全体的に電源を入れたり切ったりする。
さらに、電源制御部４５は、表示画面２１に対して部分的に電源を入れたり切ったりする。上述のとおり、表示画面２１は、収容部３１に対して収容される。そこで、本実施形態では、表示画面２１において、非目視領域２１Ｉの領域に対して部分的に電源を切るようにしている。
【００２９】
なお、本実施形態では、表示画面２１として例えば有機ＥＬディスプレイを採用している。この場合において、電源制御部４５は、描画部４４により非目視領域２１Ｉに黒を表示させる。そうすると、非目視領域２１Ｉでは、発光が行われない。そのため、非目視領域２１Ｉにおける電力消費は、実質的に行われなくなる。このように、本実施形態において、表示画面２１の一部または全部において画像を表示しないことは、表示画面２１の一部または全部に対する電源を切ることと実質的に同義になっている。
【００３０】
次に、条件描画処理について具体的に説明する。
条件描画処理には、端末装置１の向きに応じて表示画面２１に表示する表示画像の回転を制御する処理である「方向対応処理」と、目視領域２１Ｖにおいて表示画像が最も大きく表示されるように表示画像を表示する処理である「全体最大表示処理」とを行う。
なお、本実施形態では、方向対応処理を実行するモードを「方向対応モード」と称し、拡大縮小処理を実行するモードを「全体最大表示モード」と称する。これらモードは、ユーザの選択によって設定可能になっている。
【００３１】
〔方向対応モード〕
方向対応モード（方向対応処理）では、端末装置１の向きに応じて、表示画像の上下が、端末装置１（表示画面２１）の上下に合うように、表示画像の回転を行う。
【００３２】
なお、方向対応モードではない場合には、例えば端末装置１の縦方向Ｖに表示画像の縦を合わせ、さらに、タブ部２２がある側に表示画像の上を合わせるデフォルト表示を行う。また、表示画像がある方向を向いた状態で、方向対応モードが解除された場合には、方向対応モードの解除が行われたタイミングでの表示画像の向きで固定する。
そして、方向対応モードではない場合には、端末装置１がいずれの方向を向いた場合であっても、表示画面２１に表示される表示画像の向きが固定された状態が維持される。
【００３３】
〔全体最大表示モード〕
全体最大表示モード（全体最大表示処理）では、目視領域２１Ｖの画面サイズ情報に応じて、表示画像に対する拡大または縮小を行う。本実施形態では、全体最大表示モードは、表示画像の全体が目視領域２１Ｖに表示されるようにする。この場合に、全体最大表示モードは、表示画像全体を表示するにあたって、表示画像の縦横比は維持して、目視領域２１Ｖにて表示画像全体を出来る限り大きく表示する全体最大表示を行う。具体的には、全体最大表示モードは、例えば表示画像の縦横の少なくとも一方が、目視領域２１Ｖの縦方向Ｖの幅または横方向Ｈの幅に対応するように、表示画像を目視領域２１Ｖに表示させる。
なお、全体最大表示モードではない場合には、表示画像を等倍で表示するなど、ユーザによる拡大縮小の操作に従った表示サイズで表示画像の表示が行われる。
【００３４】
また、本実施形態では、方向対応モードおよび全体最大表示モードのうち、一方のモードまたは両方のモードを実行するようになっている。すなわち、本実施形態では、方向対応モードのみが実行される場合（以下、方向対応優先状態と称す）と、全体最大表示モードのみが実行される場合（以下、全体最大表示優先状態と称す）と、方向対応モードおよび全体最大表示モードの両方が実行される場合（併用状態と称する）と、方向対応モードおよび全体最大表示モードの両方とも実行されない場合とがある。
【００３５】
（方向対応優先状態）
方向対応優先状態では、方向情報に基づいて、表示画像の向きを制御する。方向対応優先状態では、端末装置１の上下と表示画像の上下とを合わせることを優先して、表示画像の回転を行う。
【００３６】
（全体最大表示優先状態）
全体最大表示優先状態では、画像情報および画面サイズ情報に基づき、目視領域２１Ｖにて表示画像が全体最大表示されるように、表示画像の回転、拡大および縮小を行う。そして、全体最大表示優先状態では、端末装置１の方向情報は考慮しない。つまり、全体最大表示優先状態では、目視領域２１Ｖの縦横の長さに応じて、画像表示部２の向きに関わらず、表示画像を回転させたり、拡大または縮小させたりする。従って、全体最大表示優先状態では、例えば表示画像の上下が、実際の端末装置１の上下と合わない場合もある。
【００３７】
（併用状態）
併用状態では、画像情報および画面情報（方向情報、画面サイズ情報）に基づいて、表示画像の拡大および縮小、表示画像の回転を行う。まず、併用状態では、端末装置１の上下と表示画像の上下とが合うことを優先して、表示画像の回転を制御する。そのうえで、併用状態では、目視領域２１Ｖにおいて表示画像が全体最大表示されるように、表示画像の拡大および縮小を行う。
【００３８】
続いて、条件描画処理について詳細に説明する。
図４は、本実施形態の条件描画処理の動作フロー図である。
図５は、併用状態における画像表示の一例の図である。
図６は、全体最大表示優先状態における画像表示の一例の図である。
【００３９】
ここで、以下の説明では、後述する図５（Ａ）に示すように、表示画像の一例としてＢ５横サイズの素材画像９１（一の画像の一例）を例に説明を行う。また、以下では、端末装置１の縦方向が上下方向に沿った状態である場合を例として説明する。
また、以下の説明において、端末装置１は、縦方向が上下方向に沿うようにユーザにより保持された状態になっている。
【００４０】
図４に示すように、まず、方向対応モードであるか否かを判断する（Ｓ（ステップ）１０１）。方向対応モードの選択は、例えば表示画面２１に表示される方向対応モード選択表示５１（図１参照）にてユーザから受け付ける。
そして、方向対応モードである場合には（Ｓ１０１にてＹｅｓ）、端末装置１に対する回転操作の検知を行う（Ｓ１０２）。回転操作の検知は、方向検知部３４によって行われる。そして、端末装置１に対する回転操作を検知した場合には（Ｓ１０２にてＹｅｓ）、端末装置１の向きに応じて、素材画像９１の回転表示を行う。具体的には、端末装置１の上側に素材画像９１の上が合うように表示する（Ｓ１０３）。そして、Ｓ１０３にて回転操作を行った後には、Ｓ１０４に進む。
また、端末装置１に対する回転操作が検知されない場合には（Ｓ１０２にてＮｏ）、ステップ１０４に進む。
【００４１】
Ｓ１０１にて方向対応モードでない場合（Ｓ１０１にてＮｏ）、Ｓ１０２にて回転操作が検知されなかった場合（Ｓ１０２にてＮｏ）および素材画像９１の回転操作が行われた後（Ｓ１０３）、全体最大表示モードであるか否かを判断する（Ｓ１０４）。全体最大表示モードの選択は、例えば表示画面２１に表示される全体最大表示モード選択表示５２（図１参照）にてユーザから受け付ける。
そして、画面情報取得部４２によって目視領域２１Ｖの画面情報が取得される（Ｓ１０５）。そして、目視領域２１Ｖの画面情報に基づいて、描画部４４が目視領域２１Ｖに対して素材画像９１の拡大または縮小の表示を行う（Ｓ１０６）。
【００４２】
なお、Ｓ１０１にて方向対応モードであり（Ｓ１０１にてＹｅｓ）、Ｓ１０４にて全体最大表示モードである（Ｓ１０４にてＹｅｓ）場合には、併用状態になる。また、Ｓ１０１にて方向対応モードではなく（Ｓ１０１にてＮｏ）、Ｓ１０４にて全体最大表示モードである（Ｓ１０４にてＹｅｓ）場合には、全体最大表示優先状態になる。さらに、Ｓ１０１にて方向対応モードであって（Ｓ１０１にてＹｅｓ）、Ｓ１０４にて全体最大表示モードでない（Ｓ１０４にてＮｏ）場合には方向対応優先状態になる。
そして、Ｓ１０１にて方向対応モードではなく（Ｓ１０１にてＮｏ）、Ｓ１０４にて全体最大表示モードでない（Ｓ１０４にてＮｏ）場合には、両方のモードとも実行されない。
【００４３】
（併用状態の動作例）
次に、併用状態について、図５を参照しながら具体的に説明する。
図５（Ｂ）に示すように、表示画面２１において目視領域２１Ｖが例えば４０％である場合について説明する。本実施形態では、収容部３１が目視領域２１Ｖの画面サイズを算出する。そして、描画部４４は、収容部３１から取得した目視領域２１Ｖの画面サイズに基づいて、素材画像９１を４７％に縮小させて目視領域２１Ｖに表示させる。
【００４４】
次に、図５（Ｃ）に示すように、表示画面２１において目視領域２１Ｖが例えば７０％である場合について説明する。この場合、描画部４４は、収容部３１から取得した画面サイズに基づいて、素材画像９１を８１％に縮小させて目視領域２１Ｖに表示させる。
【００４５】
そして、図５（Ｄ）に示すように、表示画面２１において目視領域２１Ｖが例えば８６％である場合について説明する。この場合、描画部４４は、収容部３１から取得した画面サイズに基づいて、１００％の素材画像９１を目視領域２１Ｖに表示させる。
【００４６】
さらに、図５（Ｅ）に示すように、表示画面２１において目視領域２１Ｖが例えば１００％である場合について説明する。この場合、描画部４４は、素材画像９１を１１５％に拡大させて目視領域２１Ｖに表示させる。
【００４７】
以上のように、収容部３１から表示画面２１が引き出される場合、まず、表示画面２１の引き出し量、すなわち目視領域２１Ｖの横方向Ｈの幅に応じて、素材画像９１の表示サイズが制御される。その後、表示画面２１がさらに引き出されると、素材画像９１の表示サイズは、表示画面２１（目視領域２１Ｖ）の縦方向Ｖの幅の制約を受ける。従って、素材画像９１の縦の幅が表示画面２１（目視領域２１Ｖ）の縦方向Ｖの幅になると、表示画面２１をそれ以上引き出しても、素材画像９１の表示サイズは変わらなくなる。
【００４８】
なお、併用状態が実行される条件描画処理は、端末装置１の横方向Ｈが上下方向に沿った状態である場合においても、図５を参照しながら説明した上述の動作と同様に行われる。
また、併用状態においては、例えば表示画面２１に対する全体最大表示が行われた後、端末装置１の向きが変更された場合においても、同様に、回転後の端末装置１の表示画面２１において素材画像９１の全体最大表示が行われる。
【００４９】
（全体最大表示優先状態の動作例）
次に、図６を参照しながら、本実施形態における全体最大表示優先状態について具体的に説明する。
図６（Ａ）に示すように、表示画面２１において目視領域２１Ｖが例えば４０％である場合について説明する。
本実施形態では、収容部３１が目視領域２１Ｖの画面サイズを算出する。そして、描画部４４は、収容部３１から取得した画面サイズに基づいて、目視領域２１Ｖにおいて素材画像９１が最も大きく表示されるように、素材画像９１の回転方向を計算する。
この例では、表示画面２１の縦方向Ｖの幅は、横方向Ｈの幅よりも広い。仮に、素材画像９１を９０°回転させて表示しても、素材画像９１の横の幅よりも目視領域２１Ｖの横方向Ｈの幅の方が短いため、素材画像９１を全体最大表示できない。従って、描画部４４は、素材画像９１の横が表示画面２１の縦方向Ｖに沿うように表示する。また、描画部４４は、素材画像９１を６５％に縮小させて目視領域２１Ｖに表示させる。
【００５０】
次に、図６（Ｂ）に示すように、表示画面２１において目視領域２１Ｖが例えば６１％である場合について説明する。この例においても、表示画面２１の縦方向Ｖの幅は、横方向Ｈの幅よりも広い。従って、描画部４４は、素材画像９１の横が表示画面２１の縦方向Ｖに沿うように表示する。また、描画部４４は、素材画像９１を８２％に縮小させて目視領域２１Ｖに表示させる。
【００５１】
そして、図６（Ｃ）に示すように、表示画面２１において目視領域２１Ｖが例えば６５％である場合について説明する。この例においても、表示画面２１の縦方向Ｖの幅は、横方向Ｈの幅よりも広い。従って、描画部４４は、素材画像９１の横が表示画面２１の縦方向Ｖに沿うように表示する。また、描画部４４は、素材画像９１を８２％に縮小させて目視領域２１Ｖに表示させる。
【００５２】
さらに、図６（Ｄ）に示すように、表示画面２１において目視領域２１Ｖが例えば７０％である場合について説明する。この例において、表示画面２１の横方向Ｈの幅は、縦方向Ｖの幅よりも広くなる。従って、描画部４４は、素材画像９１を例えば目視領域２１Ｖが６５％のときの向きに対して９０°回転させ、素材画像９１の横が表示画面２１の横方向Ｈに沿うように表示する。また、描画部４４は、素材画像９１を８３％に縮小させて目視領域２１Ｖに表示させる。
【００５３】
そして、図６（Ｅ）に示すように、表示画面２１において目視領域２１Ｖが例えば８６％である場合について説明する。描画部４４は、素材画像９１の横が表示画面２１の横方向Ｈに沿うように表示する。また、描画部４４は、１００％の素材画像９１を目視領域２１Ｖに表示させる。
【００５４】
さらに、図６（Ｆ）に示すように、表示画面２１において目視領域２１Ｖが例えば１００％である場合について説明する。やはり、描画部４４は、素材画像９１の横が表示画面２１の横方向Ｈに沿うように表示する。この場合、描画部４４は、素材画像９１を１１５％に拡大させて目視領域２１Ｖに表示させる。
【００５５】
以上のように、収容部３１から表示画面２１が引き出される際、まず、表示画面２１の引き出し量、すなわち目視領域２１Ｖの横方向Ｈの幅に応じて、素材画像９１の表示サイズおよび表示方向が制御される。その後、表示画面２１がさらに引き出されると、素材画像９１の表示サイズおよび表示方向は、表示画面２１（目視領域２１Ｖ）の縦方向Ｈの幅の制約を受ける。このとき、この例では、図６（Ｃ）に示すように、横方向Ｈの幅が縦方向Ｖよりも大きくなるまで、描画部４４は、素材画像９１の横が表示画面２１の縦方向Ｖに沿うように表示する。そして、この例では、図６（Ｄ）に示すように、横方向Ｈの幅が縦方向Ｖよりも大きくなると、描画部４４は、素材画像９１の横が表示画面２１の横方向Ｈに沿うように表示する。
本実施形態では、素材画像９１の縦横比を維持して拡大縮小表示を行うため、拡大表示された素材画像９１の縦の幅が、表示画面２１（目視領域２１Ｖ）の縦方向Ｖの幅になると、表示画面２１をそれ以上引き出しても、素材画像９１の表示サイズは変わらなくなる。
【００５６】
なお、本実施形態では、素材画像９１が縦よりも横が長くなる横長のものであるが、素材画像９１が横よりも縦が長くなる縦長の場合であっても、同様に、素材画像９１の縦横比を維持しながら、目視領域２１Ｖにて最大表示が行われるように制御を行う。
【００５７】
また、図５および図６を参照しながら説明した例では、表示画面２１の目視領域２１Ｖが次第に大きくなる順に説明を行ったが、表示画面２１の目視領域２１Ｖが次第に小さくなる場合には、上述した順と逆に動作が行われる。
【００５８】
図７は、表示画面２１におけるスクロール操作の一例の説明図である。
本実施形態においては、方向対応モードや全体最大表示モードをユーザが選択可能になっている。そのため、逆に、ユーザによって、方向対応モードおよび全体最大表示モードの両方のモードを実行しないというモード（状態）も選択される。この場合、端末装置１側にて画面情報に基づく素材画像９１の表示制御は自動的には行われず、ユーザの操作による素材画像９１の操作が行われる。
【００５９】
図７（Ａ）に示すように、例えば、表示画面２１において目視領域２１Ｖが例えば４０％である場合について説明する。この状態で、全体最大表示モードが選択されていない場合には、目視領域２１Ｖには、等倍の素材画像９１が表示される。この場合に、目視領域２１Ｖには、素材画像９１の一部だけが表示された状態になる。ここで、本実施形態の端末装置１では、表示画面２１に対してユーザが指等によるスクロール操作を行うことで、素材画像９１がスクロールされ、操作前には表示されていなかった素材画像９１の他の一部が表示されるようになる。
本実施形態の端末装置１では、全体最大表示モードのように素材画像９１を全体最大表示する場合のみならず、素材画像９１を等倍表示した場合であっても、素材画像９１の全体を確認できるようにしている。
【００６０】
（電源／表示制御について）
図８は、本実施形態の電源／表示制御処理のフロー図である。
図９は、本実施形態の電源／表示制御処理の動作説明図である。
【００６１】
以下では、図９（Ａ）〜図９（Ｆ）に示すように、表示画面２１が全閉状態である端末装置１の表示画面２１を引き出してから再び全閉状態に戻すという動作を例に説明する。
端末装置１は、表示画面２１が全閉状態になっている（図９（Ａ）参照）。このとき、本体部３の電源はオフになっており、表示画面２１における画像表示は行われていない。そして、図８に示すように、表示画面２１の引出し操作が行われているか否かを判断する（Ｓ２０１）。この場合において、引出し操作が行われているか否かは、収容部３１が判断する。
【００６２】
そして、Ｓ２０１にて引出し操作が行われていると判断された場合には、（Ｓ２０１にてＹｅｓ）、表示画面２１の引出量が第１の引出量以上であるか否かを判断する（Ｓ２０２）。Ｓ２０２にて、表示画面２１の引出量が第１の引出量以上である場合には（Ｓ２０２にてＹｅｓ）、本体部３の電源をオンにする（Ｓ２０３）。
本実施形態において、第１の引出量は、画面サイズが０％（全閉状態）よりも若干大きい値に設定されている。すなわち、本実施形態では、表示画面２１が少しでも引き出された段階で、本体部３（端末装置１全体）の電源が入るようになっている（図９（Ｂ）参照）。本実施形態では、全閉状態から表示画面２１が少しでも引き出されると、機械的なスイッチにより表示画面２１の引き出しを検出し、本体部３の起動を開始するようにしている。
なお、本実施形態の端末装置１において、本体部３の電源をオンにする段階では、表示画面２１に対する画像の表示を行わない。すなわち、この段階においては、表示画面２１における電力消費がない状態になっている。
【００６３】
次に、表示画面２１の引出量が第２の引出量以上であるか否かを判断する（Ｓ２０４）。Ｓ２０４にて、表示画面２１の引出量が第２の引出量以上である場合には（Ｓ２０４にてＹｅｓ）、表示画面２１における画像表示を行う（Ｓ２０５）。すなわち、表示画面２１の引出量が第２の引出量以上になった段階で、目視領域２１Ｖに対する給電をオンにする。
第２の引出量は、上述した第１の引出量よりも大きく設定している。また、本実施形態の端末装置１において、第２の引出量は、表示画面２１の端部側に表示される操作アイコン５０の全体が表示可能な値に設定している。そして、表示画面２１が第２の引出量以上に引き出されると、表示画面２１に操作アイコン５０の表示を行う（図９（Ｃ）参照）。
【００６４】
その後、表示画面２１が第２の引出量よりもさらに引き出され、例えば表示画面２１は全開状態になる（図９（Ｄ）参照）。
【００６５】
そして、Ｓ２０１にて引出し操作が行われていないと判断される場合（Ｓ２０１にてＮｏ）、Ｓ２０２にて第１の引出量よりも小さい場合（Ｓ２０２にてＮｏ）、Ｓ２０４にて第２の引出量よりも小さい場合（Ｓ２０４にてＮｏ）、または、Ｓ２０５にて表示画面２１の表示が行われた後、表示画面２１の巻取り操作があるか否かを判断する（Ｓ２０６）。
Ｓ２０６にて表示画面２１の巻取り操作がなければ（Ｓ２０６にてＮｏ）、Ｓ２０１に戻る。一方、Ｓ２０６にて表示画面２１の巻取り操作がある場合には（Ｓ２０６にてＹｅｓ）、表示画面２１の引出量が第３の引出量以下になったか否かを判断する（Ｓ２０７）。
Ｓ２０７にて表示画面２１の引出量が第３の引出量以下でなければ（Ｓ２０７でＮｏ）、Ｓ２０１に戻る。一方、Ｓ２０７にて表示画面２１の引出量が第３の引出量以下になった場合には（Ｓ２０７にてＹｅｓ）、表示画面２１を非表示にする（Ｓ２０８）。さらに、本体部３（端末装置１）の電源をオフにする（Ｓ２０９）。
【００６６】
第３の引出量は、第２の引出量よりも大きくなっている。本実施形態では、第３の引出量は、表示画面２１の端部に表示される操作アイコン５０の半分の幅（横方向）に対応する値に設定している（図９（Ｅ）参照）。全閉状態から表示画面２１の引出し操作を行うときとは異なり、巻取り操作が行われる際には、表示画面２１に操作アイコン５０が表示された状態から表示画面２１の巻き取りが行われる。そこで、本実施形態では、操作アイコン５０の半分が表示される第３の引出量までは、表示画面２１の表示を継続する。一方で、操作アイコン５０が半分以上隠れて見え難くなり、例えばユーザの指等により操作し難くなった状態では、表示画面２１を非表示にする（図９（Ｆ）参照）。
【００６７】
以上のとおり、本実施形態の端末装置１では、端末装置１自体の電源を入れるときと電源を切るときとで、目視領域２１Ｖのサイズが異なるようになっている。また、本実施形態の端末装置１では、表示画面２１に画像を表示するときと表示画面２１を非表示にするときとで、目視領域２１Ｖのサイズが異なるようになっている。
【００６８】
なお、本実施形態では、操作アイコン５０に基づいて第２の引出量および第３の引出量を設定しているが、操作アイコン５０の例に限定されず他の条件に基づいて設定を行っても良い。
【００６９】
また、端末装置１において、収容部３１に格納されない表示領域を設け、補助的な表示部やユーザインタフェース部として操作可能にしても良い。例えば図９（Ｃ）に示すように表示画面２１の端部に表示される操作アイコン５０が収容部３１に収容されず、表示画面２１の一部が常に露出するように構成しても良い。
【００７０】
さらにまた、表示画面２１が収容部３１に格納された状態で表示画面による表示動作をしない場合においては、音声入出力による操作や機能が動作可能になるように構成しても良い。例えば、ユーザの音声によって、表示画面２１における表示に関するユーザからの指示（モード設定等）を受け付けるようにしても良い。
【００７１】
続いて、変形例の端末装置１１について説明する。
図１０は、変形例の端末装置１１の説明図である。なお、図１０（Ａ）は、変形例の端末装置１１の全体斜視図である、図１０（Ｂ）は、変形後の端末装置１１を示す図である。
【００７２】
上述した本実施形態の端末装置１では、収容部３１から表示画面２１を引き出したり、収容部３１に表示画面２１を巻き取ったりすることで、ユーザが目視可能な表示画面の領域（目視領域２１Ｖ）を機械的に変化させるものであった。そして、このように目視領域２１Ｖが機械的に変化する構成において、条件描画処理による素材画像９１の表示制御を行っていた。しかしながら、条件描画処理は、収容部３１から表示画面２１を引き出したり、収容部３１に表示画面２１を巻き取ったりする端末装置１の態様に限定されない。
以下で説明するとおり、表示画面を任意の位置で折り曲げ変形させることが可能な端末装置１１であっても構わない。
【００７３】
図１０（Ａ）に示すように、端末装置１１は、表示画面１２１を有する画像表示部１２と、本体部１３とを有している。そして、図１０（Ｂ）に示すように、画像表示部１２は、任意の位置において折り曲げられるようになっており、折り曲げられた状態においても画像を表示するようになっている。すなわち、変形例の端末装置１１は、表示画面１２１における目視領域１２１Ｖが変形可能になっている。
なお、本体部１３の基本構成は、上述した端末装置１の本体部３と同様である。
【００７４】
そして、端末装置１１においても、ユーザが視認可能な表示画面１２１の画面情報を取得可能になっている。具体的には、端末装置１１には、タッチパネル機能を備える表示画面２１への接触を検知可能な作用部（不図示）を表示画面１２１の表面に設ける。これによって、表示画面１２１が折り畳まれるなどした際に、不図示の作用部が表示画面１２１に接触することで、目視領域１２１Ｖの画面サイズ情報が得られる。
【００７５】
以上のように構成される変形例の端末装置１１においても、画面情報に基づいて、全体最大表示処理を行ったり、方向対応処理を行ったりする。
【００７６】
なお、本実施形態の説明では、端末装置１や変形例の端末装置１１において、装置側の処理として自動的に画面情報を取得するようにしているが、この例に限定されない。例えば、ユーザによる入力操作などによって、端末装置１や端末装置１１が画面情報を取得するようにしても良い。
【００７７】
また、上述した条件描画処理は、画像を表示する表示画面のうちユーザが目視可能な目視領域が変形可能な表示部を備える端末装置（例えば、端末装置１や端末装置１１）として機能するコンピュータに、目視領域２１Ｖのサイズに関する目視領域情報を取得する機能と、取得された目視領域情報に基づいて、端末装置の動作に係る処理を行う機能とを実現させるプログラムとして捉えることができる。
なお、本実施形態における各構成の機能をコンピュータに実現させるプログラムは、例えば通信手段により提供することはもちろん、ＤＶＤ等の各種の記録媒体に格納して提供することも可能である。
【００７８】
＜第２の実施形態＞
次に、端末装置１の第２の実施形態について説明する。
本実施形態では、端末装置１に複数種類のＯＳ（基本ソフトウェアの一例）が搭載されている。そして、目視領域２１Ｖの画面サイズ情報に応じて、何れのＯＳを動作させるか設定可能になっている（ＯＳ設定処理）。
本実施形態では、目視領域２１Ｖの画面サイズ情報に応じて、制御部３２は、複数種類のＯＳのうち何れのＯＳを動作させるかを決定する。そして、制御部３２は、動作させるＯＳに基づく画像を表示画面２１に表示させる指示を描画部４４に対して行う。
【００７９】
また、本実施形態では、目視領域２１Ｖの画面サイズ情報に応じて、端末装置１のハードウェアの動作態様を設定可能になっている（動作態様設定処理）。
本実施形態では、目視領域２１Ｖの画面サイズ情報に応じて、制御部３２が、端末装置１のハードウェアの動作態様を設定する。
【００８０】
〔ＯＳ設定処理〕
図１１（Ａ）、（Ｂ）は、ＯＳの設定に係る処理を示した図である。
表示画面２１において目視領域２１Ｖが例えば５０％以下（図１１（Ａ）に示す例では５０％）である場合について説明する。この場合、制御部３２は、端末装置１において動作させるＯＳとしてｉＯＳ（登録商標）を決定し、ｉＯＳを動作させる。そして、描画部４４は、ｉＯＳに基づくホーム画面画像ｉを目視領域２１Ｖに表示させる。ここで、ｉＯＳは、例えばスマートフォンなどの携帯端末において用いられるＯＳである。
【００８１】
次に、表示画面２１において目視領域２１Ｖが例えば５０％を超える（図１１（Ｂ）に示す例では１００％）場合について説明する。この場合、制御部３２は、端末装置１において動作させるＯＳとしてＷｉｎｄｏｗｓ（登録商標）を決定し、Ｗｉｎｄｏｗｓを動作させる。そして、描画部４４は、Ｗｉｎｄｏｗｓに基づくホーム画面画像Ｗを目視領域２１Ｖに表示させる。ここで、Ｗｉｎｄｏｗｓは、例えばノート型ＰＣやデスクトップ型ＰＣなどにおいて用いられるＯＳである。
【００８２】
以上のように、本実施形態では、目視領域２１Ｖの画面サイズに応じて、制御部３２は、端末装置１において動作させるＯＳを切り替える。そして、描画部４４は、切り替わったＯＳに基づいて、目視領域２１Ｖに表示させる画像を切り替える。言い換えると、本実施形態では、目視領域２１Ｖの画面サイズに応じて、表示画面２１に表示されるコンテンツが変更される。これにより、目視領域２１Ｖに表示される画像は、例えばスマートフォンの様式に対応する画像からノート型ＰＣやデスクトップ型ＰＣの様式に対応する画像に切り替わる。
なお、切り替わる前のＯＳ（図１１（Ａ）、（Ｂ）に示す例ではｉＯＳ）は、動作が終了してもよいし、バックグラウンド（ＢＧ）で動作可能であってもよい。ここで、ＢＧとは、表示画面２１には表示されていない状態である。
【００８３】
目視領域２１Ｖの画面サイズが小さい場合、ユーザは、端末装置１を例えばスマートフォンなどの携帯端末として使える。言い換えると、目視領域２１Ｖの画面サイズが小さい場合、ユーザは、端末装置１を例えばプライベートに関する目的で使える。
その一方で、目視領域２１Ｖの画面サイズが大きくなると、ユーザは、端末装置１を例えばノート型ＰＣやデスクトップ型ＰＣとして使えるようになる。言い換えると、目視領域２１Ｖの画面サイズが大きくなると、ユーザは、端末装置１を仕事の目的で使えるようになる。
【００８４】
そこで、本実施形態では、プライベートに関する目的や仕事に関する目的など、端末装置１を利用する目的に基づいて、端末装置１の動作態様が設定される。
より具体的には、本実施形態では、目視領域２１Ｖの画面サイズごとに端末装置１の利用目的が予め定められるとともに、それぞれの利用目的に対応するように、端末装置１の動作態様が設定される。
【００８５】
（アプリケーション切替処理）
図１１（Ａ）、（Ｂ）に示した例では、目視領域２１Ｖの画面サイズに応じて、端末装置１において動作するＯＳが切り替わった。ここで、動作するＯＳが切り替わるとともに、切り替わったＯＳに対応するように、動作するアプリケーションソフトウェアが切り替わってもよい。
【００８６】
この場合、例えば、表示画面２１において目視領域２１Ｖが５０％以下である場合、表示画面２１において文字を入力するためのアプリケーションソフトウェアとしてのテンキー画像が目視領域２１Ｖに表示される。ここで、テンキー画像のアプリケーションソフトウェアは、ｉＯＳに対応するアプリケーションソフトウェアである。
そして、表示画面２１において目視領域２１Ｖが５０％を超えると、キーボード（フルキー）画像が目視領域２１Ｖに表示される。ここで、キーボード画像のアプリケーションソフトウェアは、Ｗｉｎｄｏｗｓに対応するアプリケーションソフトウェアである。
なお、目視領域２１Ｖにキーボード画像が表示されているときであっても、テンキー画像のアプリケーションソフトウェアがＢＧで起動していてもよい。
【００８７】
このように、本実施形態では、目視領域２１Ｖの画面サイズに応じて動作するＯＳが切り替わるとともに、切り替わったＯＳに対応するように、動作するアプリケーションソフトウェアが切り替わる。
これにより、ユーザが表示画面２１を引き出す以外の操作を行うことなく、動作するアプリケーションソフトウェアが切り替わる。そのため、このアプリケーションソフトウェアの切り替えを実現させるためにユーザが行う操作が簡易になる。
【００８８】
また、目視領域２１Ｖの画面サイズに応じて、性能が異なるアプリケーションソフトウェアが動作してもよい。
例えば、表示画面２１において目視領域２１Ｖが５０％以下である場合、ｉＯＳに対応するアプリケーションソフトウェアとして、単機能などの比較的性能が低いアプリケーションソフトウェアまたは無料のアプリケーションソフトウェアが起動する。そしてこのアプリケーションソフトウェアに関する画像が目視領域２１Ｖに表示される。
そして、表示画面２１において目視領域２１Ｖが５０％を超えると、Ｗｉｎｄｏｗｓに対応するアプリケーションソフトウェアとして高機能などの比較的高性能のアプリケーションソフトウェアまたは有料のアプリケーションソフトウェアが起動する。そしてこのアプリケーションソフトウェアに関する画像が目視領域２１Ｖに表示される。
【００８９】
（複数ＯＳ併用処理）
図１１（Ａ）、（Ｂ）に示した例では、目視領域２１Ｖの画面サイズに応じて、端末装置１において動作するＯＳが切り替わった。ここで、ＯＳが切り替わらずに、複数のＯＳが併用されてもよい。
図１２（Ａ）〜（Ｄ）は、複数のＯＳを併用する処理を示した図である。図１２（Ａ）〜（Ｄ）に示す例では、目視領域２１Ｖの画面サイズが大きくなるに従って、端末装置１において動作するＯＳが増加する。
【００９０】
図１２（Ａ）に示すように、表示画面２１において目視領域２１Ｖが例えば５０％以下（図１２（Ａ）に示す例では５０％）である場合について説明する。この場合、制御部３２は、端末装置１において動作させるＯＳとしてｉＯＳを決定し、ｉＯＳを動作させる。そして、描画部４４は、ｉＯＳに基づくホーム画面画像ｉを目視領域２１Ｖに表示させる。
【００９１】
次に、図１２（Ｂ）に示すように、表示画面２１において目視領域２１Ｖが例えば５０％よりも大きくかつ１００％未満（図１２（Ｂ）に示す例では７０％）である場合について説明する。この場合、制御部３２は、端末装置１において動作させるＯＳとしてｉＯＳおよびＡｎｄｒｏｉｄ（登録商標）を決定し、ｉＯＳおよびＡｎｄｒｏｉｄを動作させる。そして、描画部４４は、ｉＯＳに基づくホーム画面画像ｉと、Ａｎｄｒｏｉｄに基づくホーム画面画像Ａの一部とを、同時に目視領域２１Ｖに表示させる。
【００９２】
ここで、図１２（Ｃ）に示すように、表示画面２１に対してユーザが指等によるスクロール操作を行うことで、操作前には表示されていなかったホーム画面画像Ａの他の一部が表示されるとともに、操作前には表示されていたホーム画面画像ｉが一部表示されなくなる。
【００９３】
次に、図１２（Ｄ）に示すように、表示画面２１において目視領域２１Ｖが例えば１００％である場合について説明する。この場合、制御部３２は、端末装置１において動作させるＯＳとしてｉＯＳ、Ａｎｄｒｏｉｄ、およびＵＮＩＸ（登録商標）を決定し、ｉＯＳ、Ａｎｄｒｏｉｄ、およびＵＮＩＸを動作させる。そして、描画部４４は、ｉＯＳに基づくホーム画面画像ｉと、Ａｎｄｒｏｉｄに基づくホーム画面画像Ａと、ＵＮＩＸに基づくホーム画面画像Ｕの一部とを、同時に目視領域２１Ｖに表示させる。
【００９４】
以上のように、本実施形態では、目視領域２１Ｖが予め定められた画面サイズを超えると、端末装置１において動作するＯＳが増加する。これにより、一つの表示画面において、二種類以上のＯＳを併用することが可能になる。
なお、二種類以上のＯＳが動作するとともに、各々のＯＳに対応するアプリケーションソフトウェアが起動してもよい。例えば、二種類のＯＳが動作する場合、各々のＯＳに対応するアプリケーションソフトウェアに関する画像が、同時に目視領域２１Ｖに表示されてもよい。
【００９５】
また、動作させるＯＳを切り替える処理と、二種類以上のＯＳを動作させる処理とを組み合わせてもよい。
例えば、表示画面２１において目視領域２１Ｖが５０％以下である場合、ｉＯＳが起動するとともにｉＯＳに基づくホーム画面画像ｉが目視領域２１Ｖに表示される。
そして、表示画面２１において目視領域２１Ｖが５０％よりも大きくかつ１００％未満になると、Ｗｉｎｄｏｗｓが起動するとともに、目視領域２１Ｖに表示される画像がＷｉｎｄｏｗｓに基づくホーム画面画像Ｗに切り替わる。
さらに、表示画面２１において目視領域２１Ｖが１００％になると、ｉＯＳおよびＷｉｎｄｏｗｓがともに動作し、ｉＯＳに基づくホーム画面画像ｉおよびＷｉｎｄｏｗｓに基づくホーム画面画像Ｗが同時に目視領域２１Ｖに表示されてもよい。
【００９６】
また、例えば、表示画面２１において目視領域２１Ｖが５０％以下である場合、ｉＯＳが起動するとともにｉＯＳに基づくホーム画面画像ｉが表示される。
そして、表示画面２１において目視領域２１Ｖが５０％よりも大きくかつ１００％未満になると、Ａｎｄｒｏｉｄが起動するとともに、ｉＯＳに基づくホーム画面画像ｉおよびＡｎｄｒｏｉｄに基づくホーム画面画像Ａが同時に目視領域２１Ｖに表示される。
さらに、表示画面２１において目視領域２１Ｖが１００％になると、Ｗｉｎｄｏｗｓが起動するとともに、目視領域２１Ｖに表示される画像がＷｉｎｄｏｗｓに基づくホーム画面画像Ｗに切り替わってもよい。
【００９７】
（一括表示処理）
図１３（Ａ）〜（Ｄ）は、複数のページを表示画面２１にまとめて表示する処理を示した図である。図１３（Ａ）〜（Ｄ）に示す例では、目視領域２１Ｖの画面サイズが大きくなるに従って、多くのページが表示画面２１に表示されるようになる。
図１３（Ａ）に示すように、表示画面２１において目視領域２１Ｖが３３％である場合について説明する。この場合、描画部４４は、ｉＯＳに基づくホーム画面画像ｉのうちの一ページ目の画像ｉ１を等倍表示する。なお、本実施形態では、ｉＯＳに基づくホーム画面画像ｉが、全部で四ページにわたって設けられている。
【００９８】
次に、図１３（Ｂ）に示すように、表示画面２１において目視領域２１Ｖが例えば５０％である場合について説明する。この場合、描画部４４は、ｉＯＳに基づくホーム画面画像ｉのうちの一ページ目の画像ｉ１および二ページ目の画像ｉ２を、それぞれ７５％に縮小した状態で目視領域２１Ｖに表示させる。
そして、図１３（Ｃ）に示すように、表示画面２１において目視領域２１Ｖが例えば６６％である場合について説明する。この場合、描画部４４は、ｉＯＳに基づくホーム画面画像ｉのうちの一ページ目の画像ｉ１および二ページ目の画像ｉ２を、それぞれ等倍表示させる。
【００９９】
さらに、図１３（Ｄ）に示すように、表示画面２１において目視領域２１Ｖが例えば１００％である場合について説明する。この場合、描画部４４は、ｉＯＳに基づくホーム画面画像ｉのうちの一ページ目の画像ｉ１、二ページ目の画像ｉ２、三ページ目の画像ｉ３、および四ページ目の画像ｉ４を、それぞれ５０％に縮小した状態で目視領域２１Ｖに表示させる。
【０１００】
以上のように、本実施形態では、目視領域２１Ｖが予め定められたサイズを超えると、より多くのページの画像が目視領域２１Ｖに表示される。
これにより、ユーザが表示画面２１を引き出す以外の操作を行うことなく、複数のページの画像が目視領域２１Ｖに一括表示される。そのため、複数のページの画像を見るためにユーザが行う操作が簡易になる。
【０１０１】
なお、図１３（Ａ）〜（Ｄ）に示した例では、ｉＯＳに基づくホーム画面画像ｉのみが目視領域２１Ｖに表示されている。これに対し、例えばｉＯＳおよびＡｎｄｒｏｉｄがともに動作している場合、ｉＯＳに基づくホーム画面画像ｉおよびＡｎｄｒｏｉｄに基づくホーム画面画像Ａが目視領域２１Ｖにまとめて表示されてもよい。
【０１０２】
この場合、目視領域２１Ｖが５０％である場合に（図１３（Ｂ）参照）、ｉＯＳに基づくホーム画面画像ｉのうちの一ページ目の画像ｉ１と、Ａｎｄｒｏｉｄに基づくホーム画面画像Ａのうちの一ページ目の画像Ａ１とが、７５％に縮小された状態で表示される。
さらに、目視領域２１Ｖが１００％である場合に（図１３（Ｄ）参照）、ｉＯＳに基づくホーム画面画像ｉのうちの一ページ目の画像ｉ１、二ページ目の画像ｉ２、Ａｎｄｒｏｉｄに基づくホーム画面画像Ａのうちの一ページ目の画像Ａ１、二ページ目の画像Ａ２が、それぞれ５０％に縮小された状態で表示される。
【０１０３】
（複数のＯＳの動作に反映される操作について）
図１４（Ａ）、（Ｂ）は、端末装置１に対する操作を複数のＯＳの動作に反映させる処理を示した図である。
図１４（Ａ）に示すように、目視領域２１Ｖには、ｉＯＳに対応するアプリケーションソフトウェアに関する画像ｉＧおよびＡｎｄｒｏｉｄに対応するアプリケーションソフトウェアに関する画像ＡＧが表示されている。
次に、図１４（Ｂ）に示すように、ユーザが、端末装置１の機能ボタン３３２（図示の例では、表示画面２１にホーム画面画像を表示させるボタン）を押下する。この場合、目視領域２１Ｖに表示される画像は、ｉＯＳに対応するアプリケーションソフトウェアに関する画像ｉＧから、ｉＯＳに基づくホーム画面画像ｉに切り替わる。また、Ａｎｄｒｏｉｄに対応するアプリケーションソフトウェアに関する画像ＡＧから、Ａｎｄｒｏｉｄに基づくホーム画面画像Ａに切り替わる。
【０１０４】
以上のように、本実施形態では、複数のＯＳが動作している場合に、一つの操作を、動作している全てのＯＳの動作に反映させられる。
これにより、複数のＯＳの各々を動作させる場合に、ユーザは、ＯＳごとの操作を行う必要がなくなる。そのため、複数のＯＳの各々を動作させるためにユーザが行う操作が簡易になる。
【０１０５】
なお、上記では、端末装置１における機能ボタン３３２に対する操作が、一括操作として複数のＯＳの動作に反映される例を説明した。
ここで、一括操作としての操作は、機能ボタン３３２に対する操作に限られない。例えば、ユーザが端末装置１における音量ボタン（不図示）を操作すると、複数のＯＳにおいて発せられる各々の音量が調節されてもよい。
【０１０６】
また、端末装置１におけるハードウェアに対する操作のみならず、ソフトウェアに対する操作が、複数のＯＳの動作に反映されてもよい。
例えば、ユーザが表示画面２１に表示されているアイコンを操作した場合に、このアイコンに係るアプリケーションソフトウェアとして、動作している全てのＯＳに対応するアプリケーションソフトウェアが一斉に起動してもよい。
【０１０７】
また、これらの一括操作は、端末装置１のＢＧで起動しているＯＳに反映されてもよい。
【０１０８】
ここで、本実施形態における複数のＯＳに対する一括操作は、例えばアプリケーションソフトウェアが開発された際などにおいて有効である。
アプリケーションソフトウェアが開発されると、対応するＯＳごとにこのアプリケーションソフトウェアの動作確認が行われる場合がある。この場合に、本実施形態における端末装置１を用いると、一括操作により、ＢＧで起動しているＯＳを含む全てのＯＳにおけるアプリケーションソフトウェアを一斉に動作させられる。これにより、複数のＯＳにおけるアプリケーションソフトウェアの動作確認を並行して行うためにユーザが行う操作がより簡易になる。
【０１０９】
〔動作態様設定処理〕
次に、目視領域２１Ｖの画面サイズ情報に基づいて、端末装置１のハードウェアの動作態様を設定する処理について説明する。
まず、端末装置１において適用される通信回線が切り替わる例について説明する。
例えば、表示画面２１において目視領域２１Ｖが５０％以下である場合、端末装置１において適用される通信回線として、比較的セキュリティレベルが低いネットワーク環境に繋がる通信回線が設定される。
そして、表示画面２１において目視領域２１Ｖが５０％を超えると、端末装置１において適用される通信回線として、比較的セキュリティレベルが高いネットワーク環境に繋がる通信回線が設定される。
【０１１０】
このように、本実施形態では、目視領域２１Ｖが予め定められた画面サイズを超えると、端末装置１において適用される通信回線が切り替わる。
上述したように、目視領域２１Ｖの画面サイズが小さい場合、ユーザは、端末装置１を例えばプライベートに関する目的で使え、目視領域２１Ｖの画面サイズが大きくなると、ユーザは、端末装置１を例えば仕事の目的で使えるようになる。
【０１１１】
ここで、端末装置１をプライベートに関する目的で使う場合、セキュリティレベルが高いネットワーク環境を必要としないことが多い。そこで、目視領域２１Ｖの画面サイズが小さい場合、比較的セキュリティレベルが低いネットワーク環境に繋がる通信回線が設定される。このような通信回線が設定可能な場所としては、例えば職場など予め定められた場所に限られず、カフェやレストランなど不特定多数の者に利用され得る場所も含まれる。
【０１１２】
その一方で、端末装置１を仕事に関する目的で使う場合、セキュリティレベルが高いネットワーク環境を必要とすることが多い。そこで、目視領域２１Ｖの画面サイズが大きい場合、比較的セキュリティレベルが高いネットワーク環境に繋がる通信回線が設定される。このような通信回線が設定可能な場所は、例えば職場など予め定められた場所に限られる。
【０１１３】
このように、本実施形態では、目視領域２１Ｖの画面サイズに応じて端末装置１の利用目的が予め定められるとともに、それぞれの利用目的に対応するように、端末装置１に適用される通信回線が設定される。
【０１１４】
上記では、目視領域２１Ｖの画面サイズに応じて端末装置１のハードウェアの動作態様が設定される例として、端末装置１に適用される通信回線が切り替わることを説明したが、上記の例に限定されない。
例えば、目視領域２１Ｖの画面サイズに応じて、端末装置１におけるマナーモードの適用の有無が変わってもよい。
例えば、表示画面２１において目視領域２１Ｖが５０％以下である場合、端末装置１にマナーモードが適用される。この場合、端末装置１は、着信時に着信音を発生させない。
そして、表示画面２１において目視領域２１Ｖが５０％を超えると、端末装置１にマナーモードが適用されなくなる。この場合、端末装置１は、着信時に着信音を発生させる。
このように、本実施形態では、目視領域２１Ｖの画面サイズに応じて、異なる通知機能が端末装置１に設定される。
【０１１５】
また、目視領域２１Ｖの画面サイズに応じて、ＣＰＵ１０１において異なる動作周波数が設定されてもよい。
例えば、表示画面２１において目視領域２１Ｖが５０％以下である場合、ＣＰＵ１０１の動作周波数として２．０ＧＨｚが適用される。
そして、表示画面２１において目視領域２１Ｖが５０％を超えると、ＣＰＵ１０１の動作周波数として３．０ＧＨｚが適用される。この場合、ＣＰＵ１０１の動作周波数として２．０ＧＨｚが適用される場合よりも、ＣＰＵ１０１の処理速度が向上する。
【０１１６】
また、目視領域２１Ｖの画面サイズに応じて、ＣＰＵ１０１が異なる数のＣＰＵコアを使用してもよい。なお、本実施形態では、ＣＰＵ１０１に二つのＣＰＵコアが搭載されている。
例えば、表示画面２１において目視領域２１Ｖが５０％以下である場合、ＣＰＵ１０１は、一つのＣＰＵコアのみを使用する。
そして、表示画面２１において目視領域２１Ｖが５０％を超えると、ＣＰＵ１０１は、二つのＣＰＵコアを使用する。この場合、ＣＰＵ１０１が一つのＣＰＵコアを使用する場合よりも、ＣＰＵ１０１の処理速度が向上する。
【０１１７】
（時間管理処理）
本実施形態では、目視領域２１Ｖの画面サイズに基づいて端末装置１が動作することを説明した。ここで、目視領域２１Ｖの画面サイズのみに基づいて端末装置１が動作することに限られず、例えば、時刻と表示画面２１の目視領域２１Ｖにおける画面サイズとに基づいて、端末装置１が動作してもよい。
本実施形態では、制御部３２（計時部の一例）は、時刻に関する時間情報、および、画面サイズ情報に基づいて、端末装置１に係る動作を決定する。
【０１１８】
例えば、時刻が午前１０時である場合、ユーザは仕事に関する目的で端末装置１を使うことが考えられる。
そこで、目視領域２１Ｖが５０％よりも大きい場合、端末装置１において動作するＯＳとしてＷｉｎｄｏｗｓが適用される。
その一方で、目視領域２１Ｖが５０％以下である場合、ユーザは実際にはプライベートに関する目的で端末装置１を使っていることが考えられる。そこで、この場合、端末装置１において動作するＯＳとしてｉＯＳが適用される。
【０１１９】
また、時刻が午後１１時である場合、ユーザはプライベートに関する目的で端末装置１を使うことが考えられる。
そこで、目視領域２１Ｖが５０％以下である場合、端末装置１において動作するＯＳとしてｉＯＳが適用される。
その一方で、目視領域２１Ｖが５０％よりも大きい場合、ユーザは実際には仕事に関する目的で端末装置１を使っていることが考えられる。そこで、この場合、端末装置１において動作するＯＳとしてＷｉｎｄｏｗｓが適用される。
【０１２０】
このように、時刻と画面サイズとに基づいて、種類が異なるＯＳが動作してもよい。また、時刻と画面サイズとに基づいて種類が異なるＯＳが動作するとともに、動作するＯＳに対応する画像の表示処理が行われてもよい。
また、時刻と画面サイズとに基づいて、端末装置１におけるハードウェアの動作態様が設定されてもよい。
【０１２１】
また、目視領域２１Ｖにおける画面サイズに関わらず、時刻のみに基づいて端末装置１が動作してもよい。
例えば、時刻が午前１０時である場合、ユーザは仕事に関する目的で端末装置１を使うことが考えられる。
そこで、この場合、表示画面２１の目視領域２１Ｖにおける画面サイズの大きさに関わらず、端末装置１において動作するＯＳとしてＷｉｎｄｏｗｓが適用される。
【０１２２】
そして、時刻が午後１１時である場合、ユーザはプライベートに関する目的で端末装置１を使うことが考えられる。
そこで、この場合、表示画面２１の目視領域２１Ｖにおける画面サイズの大きさに関わらず、端末装置１において動作するＯＳとしてｉＯＳが適用される。
【０１２３】
このように、目視領域２１Ｖにおける画面サイズに関わらず、時刻のみに基づいて、種類が異なるＯＳが動作してもよい。また、時刻のみに基づいて種類が異なるＯＳが動作するとともに、動作するＯＳに対応する画像の表示処理が行われてもよい。
また、目視領域２１Ｖにおける画面サイズに関わらず、時刻のみに基づいて、端末装置１におけるハードウェアの動作態様が設定されてもよい。
【０１２４】
（自動引出処理／自動巻取処理）
次に、端末装置１における表示画面２１の引出し操作および巻取り操作を自動的に行う処理について説明する。
本実施形態では、画像表示部２（図１参照）には、表示画面２１に駆動力を伝達して表示画面２１を移動させるモータ（不図示）と、モータの回転数および回転角度を検知するラッチ（不図示）が設けられている。そして、ユーザが端末装置１の自動引出ボタン（不図示）を押下すると、モータの回転数および回転角度が予め定められた値になるまで、表示画面２１が移動する。これにより、目視領域２１Ｖが予め定められた画面サイズになるまで、表示画面２１が引き出される。また、ユーザが端末装置１の自動巻取ボタン（不図示）を押下すると、目視領域２１Ｖが予め定められた画面サイズになるまで、表示画面２１が巻き取られる。
【０１２５】
ここで、ユーザが自動引出ボタンを操作した回数に応じて、目視領域２１Ｖが引き出されるとともに、端末装置１において動作するＯＳが切り替わってもよい。
この場合、例えば、表示画面２１が全閉状態のときにユーザが自動引出ボタンを一度押下すると、目視領域２１Ｖが５０％になるまで表示画面２１の引出し操作が行われる。このとき、端末装置１において動作するＯＳとしてｉＯＳが適用される。
次に、ユーザが自動引出ボタンをもう一度押下すると、目視領域２１Ｖが１００％になるまで表示画面の引出し操作が行われる。このとき、端末装置１において動作するＯＳとしてＷｉｎｄｏｗｓが適用される。
【０１２６】
このように、ユーザが自動引出ボタンを操作した回数に応じて、種類が異なるＯＳが動作してもよい。また、自動引出ボタンを操作した回数に応じて種類が異なるＯＳが動作するとともに、動作するＯＳに対応する画像の表示処理が行われてもよい。
また、ユーザが自動引出ボタンを操作した回数に応じて、端末装置１におけるハードウェアの動作態様が設定されてもよい。
さらに、ユーザが自動巻取ボタンを操作した回数に応じて、端末装置１が動作してもよい。
【０１２７】
また、自動引出ボタンを操作し続ける時間が長くなるに従って、目視領域２１Ｖの画面サイズが大きくなるとともに、種類が異なるＯＳが動作してもよい。
この場合、例えば、表示画面２１が全閉状態のときに自動引出ボタンを一秒間押し続けると、表示画面２１における目視領域２１Ｖが５０％になるとともに、端末装置１において動作するＯＳとしてｉＯＳが適用される。
【０１２８】
また、表示画面２１が全閉状態のときに自動引出ボタンを二秒間押し続けると、表示画面２１における目視領域２１Ｖが１００％になるとともに、端末装置１において動作するＯＳとしてＷｉｎｄｏｗｓが適用される。
【０１２９】
このように、自動引出ボタンを操作し続ける時間に応じて、種類が異なるＯＳが動作してもよい。また、自動引出ボタンを操作し続ける時間に応じて種類が異なるＯＳが動作するとともに、動作するＯＳに対応する画像の表示処理が行われてもよい。
また、自動引出ボタンを操作し続ける時間に応じて、端末装置１におけるハードウェアの動作態様が設定されてもよい。
さらに、ユーザが自動巻取ボタンを操作し続ける時間に応じて、端末装置１が動作してもよい。
【０１３０】
なお、本実施形態では、種類が異なるＯＳとして、例えば、ｉＯＳとＷｉｎｄｏｗｓとのように別のＯＳを例示したが、これに限られない。種類が異なるＯＳには、例えば、ｉＯＳ１０．０とｉＯＳ１０．１とのように、バージョンが異なるものも含まれる。
また、本実施形態では、表示画面２１の目視領域２１Ｖが次第に大きくなる順に説明を行ったが、表示画面２１の目視領域２１Ｖが次第に小さくなる場合には、上述した順と逆に動作が行われる。
【符号の説明】
【０１３１】
１…端末装置、２…画像表示部、３…本体部、２１…表示画面、２１Ｉ…非目視領域、２１Ｖ…目視領域、３１…収容部、３２…制御部、３３…本体操作部、３４…方向検知部、５０…操作アイコン、９１…素材画像
【図１】
2018084790.tif 000003
【図２】
2018084790.tif 000004
【図３】
2018084790.tif 000005
【図４】
2018084790.tif 000006
【図５】
2018084790.tif 000007
【図６】
2018084790.tif 000008
【図７】
2018084790.tif 000009
【図８】
2018084790.tif 000010
【図９】
2018084790.tif 000011
【図１０】
2018084790.tif 000012
【図１１】
2018084790.tif 000013
【図１２】
2018084790.tif 000014
【図１３】
2018084790.tif 000015
【図１４】
2018084790.tif 000016